(57)【要約】      （修正有）【課題】床面施工に、長方形型と花型を共に組み合わせて使用することで、床舗装のデザイン性を高めるモザイクパーツを提供する。【解決手段】セメント二次製品の一部分に長方形型モザイクパーツ１および花型モザイクパーツを組み込み、モザイクのみの施工より大幅に工事費を低く抑えることによりコストを縮減することが可能となる。舗装景観にアート性に富む、華やかな彩りを付加し、豊かなと町並み景観を生み出す一助となる。【選択図】図１
2020200610.tif 000002
【特許請求の範囲】
【請求項１】
セメント二次製品の平板等に組み込まれる、玉石（５）モザイクタイル（６）玉石またはガラス系モザイク（７）モルタル基盤（３）からなる花型のモザイクパーツ（４）。
【請求項２】
障害者制作のモザイクパーツが併設可能なセメント２次製品仮枠（８）。
【請求項３】
青瓦モザイクチップ（２）等の光沢のある釉薬を使用したすべり止めとなる長方形モザイクパーツ（１）の床材。
【発明の詳細な説明】
【技術分野】
【０００１】
すべり係数を求められる既製平板、インターロッキング等に併設する長方形型及び花型モザイク。床面施工に、長方形型と花型を共に組み合わせて使用することで、床舗装のデザイン性を高める。長方形型の素材は建設廃材の釉薬瓦、これを細かく割り釉薬瓦モザイクモザイクチップ２を使用。福祉作業所で花型モザイクパーツ４は、規定寸法の円錐仮枠にセメントを流し込み、上端に玉石、ガラスチップ等を花模様に配列した物。現場埋め込みに必要な円錐形空間は既製平板仮枠を一部改良し、円錐形の仕切りをつけた型枠８を使用。        
【背景技術】
【０００２】
下記発明は障害者の街づくり参加の促進と自立を目的としている。モザイクパーツは、既存の無機質なコンクリート平板、インターロッキング等と部分的に併設、組み込まれることにより、全体をカラフルにし、デザイン性を向上させた空間を作る。
【発明の概要】
【発明が解決しようとする課題】
【０００３】
これまで外構床材で光沢を放つ釉薬使用は雨天時歩行者のスリップ、転倒のリスクにつながるため使用を控えられてきた。舗装材メーカーに於いても、JIS床材の滑り係数を満たすことが出来ないため釉薬使用の製品製作は、不可能であった。既製品にカラフル性を求めメーカーはモルタル着色剤等を混入しているが、色彩は数年で退色しみすぼらしい外観を呈することになる。本発明に於いては廃棄された青瓦使用の長方形型モザイクパーツ１を既成平板のボーダーとして組み込む。釉薬が施された陶器の為に退色は無く、光沢と共に強い色彩を長い年数保持できる製品として施工現場で活用可能である。花型モザイクに於いては平米当たり最低2個程度、予算の許す範囲で平板等と併設して広場や歩道に設置されることが考えられる。平板と平板の間に直径８０ｍｍ程度の花が咲いたような外観を造りだす。花型を配置する平板、インターロッキング等の工場仮枠８は、予めモザイクパーツが入る穴を製作しておき、平板等の設置後、その穴の中に花型を挿入し表面天端をそろえる（図４）。
【課題を解決するための手段】
【０００４】
長方形型モザイクパーツ１の製作は、石割ハンマーを用い瓦を細かく割り直径１３ｍｍ程度のモザイクチップを作り、ミキサーにかけ材料の面取を施す。長方形のパーツ材の厚みは併用するセメント二次製品と同じとし、同寸法の仮枠の中に流動性のよいモルタルを入れ、バイブレーションをかけ密度を高め高品質なモルタル底盤をつくる。モザイクチップを底盤上端に配列、平坦に仕上げる。チップとチップの間にできる目地は接着剤混入のセメントペーストを流し込む、その後、半乾きの状態となった時点で、スポンジ等によりモザイク表面に付着しているペーストをきれいに拭き取り、仕上げとする。曲面を持つ瓦は、小さく割りチップにすることで曲面をほぼ失くし、やせ目地の平らなパーツ表面を構成することが出来る。長方形型の滑り抵抗は、チップに残るわずかな瓦の曲面の凸凹の摩擦、目地の仕上げをやせ目地とし表面より１〜２ｍｍ程度下げているため、歩行の足に引っ掛かりスリップすることを防ぐ。完成品は滑り係数６０以上が確保される。瓦そのものは、滑りやすい光沢のある釉薬表面ではあるが、材料を小さなモザイクとすることで目地の摩擦と共に、雨降りなどの歩行者転倒を防止することが出来る。曲げ強度の高いボーダーパーツを作るには、セメント量を２対１とし流動性の高いモザイク材との接合の良い配合とする事、仮枠から外した段階で十分な水中養生を施すこと等により６以上の数値を得ることができる。
【０００５】
平板差し込み花型の鋼製仮枠は枠のコーナーは、作業所で作られる花型モザイクパーツ円錐体（図２（イ））、の４分の１と同様な形で仕切を設置することで.工場のモルタル打設時にその部分は空洞（図３）となる。敷設現場で角のない４枚の平板を任意の場所に組み合わせ、花型モザイクパーツを差し込み完成させる。
花型モザイクパーツの平面のサイズは、鋼製仮枠部分仮枠より少し小さく作り、敷設時埋め込が容易な寸法とし、高さは平板と同寸法とする（図４）。花を表現するための代表的なモザイク配列は外形に直径１０〜１５ｍｍの白玉石を円型内側に並べる。残ったスペースには、より小さな玉石と色つきガラス系モザイク等であしらい花の形を整える（図２（ロ））。
【発明の効果】
【０００６】
これまで、公共広場等における全面のモザイク使用は、コスト面でほぼ不可能であった。本発明では障害者作業所でモザイクを生産、モザイク材料に建設廃材等を使用、使用範囲を既存セメント２次製品の一部、部分的な使用等によりコストを大幅軽減。また、障害者が特徴的に持つアート性と根気強さを活かし、市場競争力を持つ製品になる。本発明による、汎用型モザイクパーツは、採用可能な工事現場を広げることにより、福祉作業所の技術取得者を増やし、障害者の自立支援と社会参加促進の効果を生み出す。これまで汎用的な平板等の敷設にはセメント２次製品のみ、または現場により少し高級感を出す場合には部分的に石貼りを施す、などで景観作りがなされてきた。既製工業製品でモザイク等を景観材に併設して取り組んだ製品はほぼ見られない。通常の駅前広場等の公共工事においても、単一のセメント2次製品が採用され、数年もすれば劣化が始まり、多くの石等で舗装されたヨーロッパの景観と比べ深く見劣りをするものであった。本発明に於いては床材を施工するに当たり、僅かな予算を加えることで部分的ではあるが人の手による温かみがある製品が加わり、景観の質を向上させられる。
【０００７】
完成された広場等のメンテナンスとして、これまで２次製品の各メーカーは年度ごとに新製品を製作し続けてきた。製品は数年たつと廃番となる。ガス管の埋込、経年による傷み等で掘り起こされた部分は、現場で入手可能な、当初の製品に近い品物を埋め込む、または黒いアスコンでの補修等がなされ、貧しい外観を呈してきた。本発明は、舗装面が当初から不変に近い色彩を持つ材料、モザイクにより一部施工が可能になる。もし使用平板などでの補修が必要となり、同一な品番が手に入らない場合、配列は変わるが、同一現場に予め埋め込まれている青瓦、小型花のモザイクパーツを使用、全体のイメージを大きく損なわない補修が可能となる。十数年たつと掘り起こされ廃棄されることが従来の製品であった。本発明の製品は、処理困難な建設現場より生じる石やタイル等の廃棄物の有効利用と共に、劣化したセメント二次製品が廃棄物として排出されることの歯止めにもなりうる、環境面での効用も少なくないものである。
【図面の簡単な説明】
【０００８】
【図１】長方形型モザイクパーツを示す斜視図である。
【図２Ａ】は花型モザイクパーツを示す斜視図である。
【図２Ｂ】は花型モザイクの代表的な配列パターンを示す平面図である。
【図３】鋼製仮枠を示す斜視図である。
【図４】花型モザイクパーツの施工時の断面図である。
【発明を実施するための形態】
【０００９】
本発明を実施例で説明する。モザイクパーツ作りは製作技術をマスターした作業所で行う。技術を取得させるために、モザイク使用材料と工具の提供、製作技術指導員の派遣、必要な工具提供、出来上がったパーツの買い取り、出荷時の製品検査を特定非営利活動法人エコ平板・防塵マスク支援協会が担う。作業所の製作品は2種類、長方形型と花型モザイクで、製作マニュアルに従って製作される。上記特定非営利活動法人と技術提携した２次製品製作、販売会社は、工事受注設計図書に従い、必要とする長方形型及び花型の個数を上記法人に発注。上記法人により各作業所に個数が発注される。工場で製作される花型の仕切りのある平板は通常平板仮枠に必要な凹みをセットし材料の打設を行い完成させる。
施工現場に搬入されたそれぞれの材料は通常の平板敷設の手順に従い施工。平板の配列は設計図に従いモザイクパーツの配列位置を特定し敷設。
平板の間の２種類のモザイクパーツの埋込場所とし、残されたところ、それぞれにパーツモザイクを埋め込み目地用細砂をまきバイブレーションをかけ敷設作業を終える。
【００１０】
敷設面積とモザイクパーツの平均的な使用量、長方形型の使用は平板５列に１００ｍｍ幅を１列程度。花型は平板８枚に一個程度。価格として本発明のモザイクパーツを使用した場合の施工単価の上昇は、上級レベルの平板舗装と大差はない。
【００１１】
２０１９年４月時点で、壁画用を含めたモザイクパーツ製作の作業所は全国で１８カ所。施工現場２，０００ｍ２程度の平板舗装に使用するモザイクパーツの量であれば１か月で供給可能である。今後本発明の市場が広がり、より多くの生産が必要な場合は、作業所数を増やし対応する。新たな製作場所として、東日本大地震の被災地では津波で被害を受けた南三陸町のシルバーセンターも参加。公園等に於いて地元住民に直結した工事を目ざす場合には、現地の地域作業所、住民で製作し、共生を旨としたモニュメント的要素をも加味したプロジェクトに仕上げることも出来る。
【符号の説明】
【００１２】
１  長方形型モザイクパーツ
２  釉薬瓦モザイクチップ
３  モルタル基盤
４  花型モザイクパーツ
５  玉石
６  モザイクタイル
７  玉石またはガラス系モザイク
８  鋼製型枠
９  仕切り板
１０  空洞スペース
１１  平板
【図１】
2020200610.tif 000003
【図２Ａ】
2020200610.tif 000004
【図２Ｂ】
2020200610.tif 000005
【図３】
2020200610.tif 000006
【図４】
2020200610.tif 000007